(57)【要約】  回転する構成や皮膚を挟み込む構成を用いなくとも肌の汚れや老廃物を除去する。  美容装置１は、導電性を有するシリコーンで形成された接触部１０、シェーバー部２０、表示部３０、複数のボタン４０および筐体５０を有する。接触部１０は、導体として銀の粉末を含む。接触部１０は、複数の予め定められた長さの突起１１を有する。複数の突起１１は、円柱の形状で柔軟性を有して変形可能であり、皮膚に対してイオン導出を行う電極となる。使用者は、イオン導出の機能を使用する場合、突起１１を皮膚に押し当てつつ移動させる。皮膚に押し当てられた複数の突起１１の各々は、皮膚の表面をブラッシングする。また、複数の突起１１の各々を介してイオン導出のための電気信号が皮膚に出力され、古い角質やメイク顔料などが突起１１に引き付けられ、肌のクレンジングが行われる。
2020021736.tif 000002
【特許請求の範囲】
【請求項１】
導電性を有する合成樹脂で形成されて複数の突起を有する接触部と、
電極と、
イオン導出を行う電気信号を前記電極、前記突起が接触した人体および前記接触部を含む閉回路に出力する出力部と
を備える美容装置。
【請求項２】
前記接触部は、人体に接触する側から見て先細りの部分を有する請求項１に記載の美容装置。
【請求項３】
前記複数の突起の長さは、前記先細りの先端に向かうにつれて長くなる請求項２に記載の美容装置。
【請求項４】
前記複数の突起の先端を結ぶ仮想面が凹んだ形状である
請求項１から請求項３のいずれか一項に記載の美容装置。
【請求項５】
前記複数の突起として、肌に接する部分が第１の広さの突起と、肌に接する部分が前記第１の広さより広い第２の突起を備える
請求項１から請求項４のいずれか一項に記載の美容装置。
【請求項６】
前記突起は、人体に接触する側から見て環状の形状である請求項２に記載の美容装置。
【請求項７】
前記接触部の表面が波型であり、前記突起は前記波型の凸の部分である請求項１に記載の美容装置。
【請求項８】
前記突起を振動させる振動部を備える請求項１に記載の美容装置。
【請求項９】
前記出力部は、使用者の操作に応じて、前記電極と前記突起の一方を正極とし、他方を負極とする
請求項１に記載の美容装置。
【発明の詳細な説明】
【技術分野】
【０００１】
本発明は、美容装置に関する。
【背景技術】
【０００２】
人体にイオン導出電流を流すことにより肌内部の汚れや老廃物を除去する発明として、例えば、特許文献１に開示された美容器具がある。この美容器具は、球状の複数の回転体の表面に設けられた電極から皮膚に電流を流し、イオン導出を行う。各回転体の電極は複数の帯状の面で形成されており、この帯状の面を有する複数の回転体が回転して皮膚に接触し、隣り合う回転体の間に肌を挟み込むことにより、マッサージ効果を付与し、古い角質や汚れを除去する。
【先行技術文献】
【特許文献】
【０００３】
【特許文献１】国際公開２０１６／０６８１９９号
【発明の概要】
【発明が解決しようとする課題】
【０００４】
前述の美容器具においては、古い角質や汚れを除去するために、複数の回転体を回転させ、回転体の間に肌を挟み込む構成を要し、構成が複雑となる。【０００５】
本発明は、回転する構成や皮膚を挟み込む構成を用いなくとも肌の汚れや老廃物を除去することを目的とする。
【課題を解決するための手段】
【０００６】
本発明は、導電性を有する合成樹脂で形成されて複数の突起を有する接触部と、電極と、イオン導出を行う電気信号を前記電極、前記突起が接触した人体および前記接触部を含む閉回路に出力する出力部とを備える美容装置を提供する。【０００７】
本発明においては、前記接触部は、人体に接触する側から見て先細りの部分を有する構成であってもよい。【０００８】
本発明においては、前記突起の長さは、前記先細りの先端に向かうにつれて長くなる構成であってもよい。【０００９】
本発明においては、前記複数の突起の先端を結ぶ仮想面が凹んだ形状である構成としてもよい。【００１０】
本発明においては、前記複数の突起として、肌に接する部分が第１の広さの突起と、肌に接する部分が前記第１の広さより広い第２の突起を備える構成としてもよい。【００１１】
本発明においては、前記突起は、人体に接触する側から見て環状の形状である構成であってもよい。【００１２】
本発明においては、前記接触部の表面が波型であり、前記突起は前記波型の凸の部分である構成であってもよい。【００１３】
本発明においては、前記突起を振動させる振動部を備える構成であってもよい。【００１４】
本発明においては、前記出力部は、使用者の操作に応じて、前記電極と前記突起の一方を正極とし、他方を負極とする構成であってもよい。
【発明の効果】
【００１５】
本発明によれば、回転する構成や皮膚を挟み込む構成を用いなくとも肌の汚れや老廃物を除去することができる。
【図面の簡単な説明】
【００１６】
【図１】本発明の実施形態に係る美容装置１を示した図。
【図２】美容装置１を接触部１０側から見た図。
【図３】美容装置１の電気的構成を示したブロック図。
【図４】変形例に係る美容装置１Ａの外観を示した図。
【図５】変形例に係る美容装置１Ｂの外観を示した図。
【図６】変形例に係る美容装置１Ｃの外観を示した図。
【図７】変形例に係る美容装置１Ｄの外観を示した図。
【図８】変形例に係る美容装置の断面を示した図。
【図９】変形例に係る美容装置の断面を示した図。
【図１０】変形例に係る美容装置の断面を示した図。
【発明を実施するための形態】
【００１７】
［実施形態］
図１は、本発明の実施形態に係る美容装置１を示した図である。美容装置１は、皮膚の汚れや古い角質や吸着するイオン導出機能とシェーバーの機能を備える装置である。
【００１８】
美容装置１は、導電性と弾性を有する合成樹脂の一例であるシリコーンゴムで形成された接触部１０、２４金のメッキが施された外刃２０Ａとモータにより回転する内刃（図示略）を有するシェーバー部２０、表示部３０、複数のボタン４０および筐体５０を有する。筐体５０は、電源となる二次電池、イオン導出機能を実現する電気回路、シェーバーの機能を実現する電気回路などを内蔵する。筐体５０は、金属製であり、イオン導出を行うための電極としても機能する。筐体５０は、本発明に係る電極の一例である。
【００１９】
筐体５０に設けられた表示部３０は、液晶ディスプレイであり、美容装置１の動作状態や内蔵する二次電池の状態などの各種情報を表示する。筐体５０に設けられた複数のボタン４０は、美容装置１を操作するためのボタンであり、美容装置１の電源のオン／オフを制御するためのボタン、イオン導出機能のオン／オフを制御するためのボタン、シェーバーの機能のオン／オフを制御するためのボタンなどがある。
【００２０】
図２は、美容装置１を接触部１０側から見た図である。接触部１０は、本発明に係る接触部の一例である。接触部１０は、本実施形態においては、導体として銀の粉末を含む。接触部１０が含む導体は、銀に限定されるものではなく、シリコーンに導電性を付与するカーボンブラック、金メッキされたシリカ、グラファイトなどであってもよい。また、接触部１０は、銀に加えて二酸化チタンの粉末を含む構成であってもよい。また、接触部１０は、導電性を有するシリコーンに限定されるものではなく、導電性と弾性を有するものであれば、シリコーン以外であってもよい。例えば、接触部１０は、弾性体である合成樹脂のゴムにおいて導電性を有する導電性ゴムであってもよく、弾性と導電性を有する合成樹脂のエラストマーであってもよい。また、接触部１０は、導電性を有する合成樹脂であれば、弾性を備えていない構成であってもよく、例えば導電性プラスチックであってもよい。接触部１０は、円形の平坦な領域１２を有し、領域１２は、複数の予め定められた長さの突起１１を有する。複数の突起１１は、円柱の形状で柔軟性を有して変形可能であり、皮膚に対してイオン導出を行う電極となる。突起１１は、本実施形態においては先端の形状が半球の形状となっている。複数の突起１１は、行列に配置されていてもよく、また、同心円状に配置されていてもよい。
【００２１】
図３は、美容装置１の電気的構成を示したブロック図である。モータ１０３は、シェーバー部２０の内刃を回転させるためのモータである。モータ１０３は、シェーバー部２０に接続し、シェーバー部２０の内刃を回転させる。出力部１０２は、接触部１０と金属製である筐体５０に接続されている。出力部１０２は、接触部１０を負極、筐体５０を正極とし、イオン導出を行うための電気信号を出力する。出力部１０２は、本発明に係る出力部の一例である。
【００２２】
制御部１０１は、例えばマイクロコンピュータである。制御部１０１は、操作されたボタン４０に応じて、各部を制御する。制御部１０１は、ボタン４０において、シェーバーの機能をオンにする操作が行われると、モータ１０３を駆動し、シェーバー部２０の内刃を回転させ、ボタン４０において、シェーバーの機能をオフにする操作が行われると、モータ１０３の駆動を停止し、シェーバー部２０の内刃の回転を停止させる。また、制御部１０１は、ボタン４０において、イオン導出の機能をオンにする操作が行われると、接触部１０と筐体５０を電極としてイオン導出を行うための電気信号を出力し、ボタン４０において、イオン導出の機能をオフにする操作が行われると、イオン導出を行うための電気信号の出力を停止する。また、制御部１０１は、表示部３０を制御し、二次電池の状態や、オンとなっている機能のアイコンなどを表示する。
【００２３】
使用者は、イオン導出の機能を使用する場合、筐体５０を把持し、複数の突起１１を皮膚に押し当てる。突起１１を押し当てつつ移動させると、皮膚に押し当てられた複数の突起１１の各々は、皮膚の表面をブラッシングする。また、複数の突起１１の各々を介してイオン導出のための電気信号が皮膚に出力されると、古い角質やメイク顔料などが突起１１に引き付けられ、肌のクレンジングが行われる。
【００２４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２５】
上述した実施形態においては、美容装置１は、導電性を有する接触部１０を負極とし、金属製の筐体５０を正極としてイオン導出を行っているが、導電性を有する接触部１０を正極とし、金属製の筐体５０を負極としてイオン導出を行ってもよい。また、本発明においては、イオン導出のための電気信号を出力するときに、ボタン４０の操作により、接触部１０を負極とし、金属製の筐体５０を正極とするモードと、接触部１０を負極とし、金属製の筐体５０を正極とするモードとを切り替えられる構成としてもよい。
【００２６】
上述した実施形態においては、複数の突起１１が設けられる領域１２の形状は円形であるが、円形に限定されるものではなく、例えば、矩形や多角形、楕円形など他の形状であってもよい。
【００２７】
本発明においては、複数の突起１１の長さは領域１２の中央と周縁とで異なる長さであってもよい。例えば、領域１２の中央から周縁に向かうにつれて突起１１の長さが短くなる構成であってもよく、また、領域１２の中央から周縁に向かうにつれて突起１１の長さが長くなる構成であってもよい。
【００２８】
上述した実施形態においては、突起１１の先端は半球の形状であるが、半球の形状に限定されるものではない、例えば、突起１１の先端は、球形であってもよく、また、先端が平面であってもよい。
【００２９】
本発明においては、美容装置１は、モータ１０３に加えて振動モータを備える構成であってもよい。美容装置１が振動モータを備える構成の場合、制御部１０１は、イオン導出を行うための電気信号の出力中に振動モータを駆動し、突起１１を振動させてもよい。振動モータは、本発明に係る振動部の一例である。
【００３０】
上述した実施形態においては、シェーバー部２０を着脱可能な構成とし、他のアタッチメントも装着可能な構成としてもよい。例えば、シェーバー部２０に替えて洗顔ブラシを備えたアタッチメントを装着し、洗顔ブラシを備えたアタッチメントをモータ１０３で回転させてもよい。
【００３１】
本発明においては、出力部１０２は、出力する電気信号について、ボタン４０に行われた操作に応じて、周波数、振幅、波形の少なくとも一つを切り替える構成としてもよい。
【００３２】
上述した実施形態においては、筐体５０が金属製となっているが、本発明においては、筐体５０を合成樹脂とし、イオン導出を行うための電極として筐体５０の一部に金属製の電極を設けてもよい。
【００３３】
上述した実施形態においては、美容装置１は、シェーバー部２０を備えた構成であるが、シェーバー部２０を備えていない構成であってもよい。
【００３４】
図４は、変形例に係る美容装置１Ａの外観を示した図である。美容装置１Ａは、シェーバーの機能を備えていない点で美容装置１Ａと相違する。美容装置１Ａは、ボタン４１、筐体５０Ａ、導電性と弾性を有する合成樹脂の一例であるシリコーンゴムで形成された接触部１０Ａを有する。ボタン４１は、イオン導出のオン／オフを切り替えるボタンである。筐体５０Ａは、第１筐体５０１と第２筐体５０２で構成されている。第１筐体５０１は、素材が合成樹脂であり、電源となる二次電池、イオン導出機能を実現する電気回路などを内蔵する。第２筐体５０２は、金属製であり、イオン導出を行うための電極としても機能する。
【００３５】
接触部１０Ａは、接触部１０と同じく複数の突起１１を有する。接触１０Ａは、上方から見て先細りの形状である涙型であり、複数の突起１１が配置されている。接触部１０Ａを垂直方向に切断した断面を見ると、図８に示したように、接触部１０Ａは、下方に凹んだ形状であり、全ての突起部１１の先端を結ぶ仮想面を想定すると、仮想面が下方に凹んだ形状となる。接触部１０Ａにおいては、涙型の先端に向かって突起１１の数が少なくなっているため、例えば小鼻部分などに突起部１１を接触させやすくなっている。また、接触部１０Ａは、突起部１１の先端側から見て凹んだ形状となっているため、曲面が多い人体にフィットする。なお、接触部１０Ａの突起部１１は、涙型の先端部分では細くて長い形状とし、先端部分の周囲においては、先端部分と同じ長さで先端部分より太い形状としてもよい。また、接触部１０Ａの突起部１１は、涙型の後端部分では先端部分と同じ太さで先端部分より短い形状とし、後端部分から先端部分の周囲に向かうにつれて太さを変えずに長さを長くしてもよい。また、接触部１０Ａは、先細りの形状であれば、涙型に替えて上方から見て先細りの形状である卵型や菱形、三角形、星形、多角形、楕円形など他の形状であってもよい。また、美容装置１、１Ａにおいては、突起１１は、円柱の形状となっているが、半球の形状であってもよい。また、接触部１０、１０Ａにおいては、突起１１に替えて複数の窪みを設け、窪み以外の部分が肌に接触する構成としてもよい。
【００３６】
また、突起部１１については、イオン導出の効果を高めるという点では、突起部の径を太くして突起部の先端の面積が広くなるほど好ましい。突起部１１の径を太くするほど、皮膚との接触面積が増え、イオン導出の効果が高くなる。
【００３７】
図５は、変形例に係る美容装置１Ｂの外観を示した図である。美容装置１Ｂは、肌に接触させる部分が美容装置１Ａと相違する。美容装置１Ｂは、導電性と弾性を有する合成樹脂の一例であるシリコーンゴムで形成された接触部１０Ｂ、ボタン４１、筐体５０Ａを有する。接触部１０Ｂは、上方から見て環状の涙型に形成された複数の凸部１３を有する。凸部１３は、上端が予め定められた幅となっており、断面が矩形になっている。凸部１３は、本発明に係る突起の一例である。接触部１０Ｂにおいては、凸部１３が環状の涙型となっているため、例えば小鼻部分などに凸部１３を接触させやすくなっている。また、接触部１０Ｂにおいては、凸部１３の角が肌に接触することにより、肌のクレンジングが行われる。なお、凸部１３は、断面が矩形に限定されるものではなく、断面が半円の形状であってもよい。
【００３８】
図６は、変形例に係る美容装置１Ｃの外観を示した図である。美容装置１Ｃは、肌に接触させる部分が美容装置１Ａと相違する。美容装置１Ｃは、ボタン４１、筐体５０Ａ、導電性と弾性を有する合成樹脂の一例であるシリコーンゴムで形成された接触部１０Ｃを有する。接触部１０Ｃは、肌に接触する面が波型となっている。波型で凸になっている部分は、本発明に係る突起の一例である。接触部１０Ｃにおいては、波型の凹凸が肌に接触することにより、肌のクレンジングが行われる。
【００３９】
また、接触部については、突起や凸部を組み合わせた構成としてもよい。図７は、突起と凸部を組み合わせた接触部を備えた美容装置１Ｄの外観を示した図である。美容装置１Ｄは、肌に接触させる部分が美容装置１Ａと相違する。美容装置１Ｄは、ボタン４１、筐体５０Ａ、導電性と弾性を有する合成樹脂の一例であるシリコーンゴムで形成された接触部１０Ｄを有する。接触部１１Ｄは、涙形の先端部分から予め定められた範囲内に突起１１を有し、突起１１以外の部分は接触部１１Ｃと同様の波型となっている。接触部１０Ｄにおいては、突起部１１で小鼻部分のイオン導出を行い、波型の部分で広い範囲に対してイオン導出を行うことができる。
【００４０】
本発明においては、接触部１０、１０Ａ、１０Ｂ、１０Ｃを加熱するヒータを設けてもよい。図８は、ヒータを備える美容装置１Ａの断面を示した図であり、美容装置１Ａを垂直方向に切断した断面を示した図である。接触部１０Ａの下面側には、導電性を有する金属または樹脂で形成された導電部６１が設けられ、導電部６１と接触部１０Ａの間には、接触部１０Ａに接するヒータ６０が設けられている。導電部６１は、制御部１０１とヒータ６０に電気的に接続されている。制御部１０１が電気信号を出力すると、出力した電気信号が導電部６１を介してヒータ６０に供給され、ヒータ６０の温度が上昇する。なお、美容装置１Ｂにおいても接触部１０Ｂの下面側にヒータ６０を配置し、美容装置１Ｃにおいても接触部１０Ｃの下面側にヒータ６０を配置してもよい。また、接触部１０においても、突起１１が形成されている側と反対側にヒータ６０を配置してもよい。接触部１０、１０Ａ、１０Ｂ、１０Ｃを加熱するヒータ６０を設けた際には、例えば、突起部１１や凸部１３の先端が４０℃以上となるようにするのが好ましく、さらに安全のため、温度に上限を設けるのが好ましい。接触部１０、１０Ａ、１０Ｂ、１０Ｃを加熱する構成を備えている場合、肌が暖められることにより、毛穴が開き、角質層や肌の汚れが浮きやすくなる。
【００４１】
また、接触部１０、１０Ａ、１０Ｂ、１０Ｃが接する肌を加熱する構成は、ヒータを用いる構成に限定されるものではなく、他の構成であってもよい。例えば、ラジオ波の交流電圧を出力する回路を装置内に設け、ラジオ波の交流電圧を接触部１０、１０Ａ、１０Ｂ、１０Ｃへ印加する。ラジオ波が接触部１０、１０Ａ、１０Ｂ、１０Ｃへ印加されると、皮膚に高周波電流が流れて皮膚が温められる。
【００４２】
上述した変形例で装置を振動させる変形例は、振動モータで美容装置１全体を振動させる構成であるが、全体を振動させるのではなく、接触部１０Ａ、１０Ｂ、１０Ｃを振動させる構成であってもよい。図９と図１０は、接触部１０Ａを振動させる構成を備えた美容装置１Ａの断面を示した図である。図９は、美容装置１Ａを水平方向に切断したときの上側を下方から上方へ見た図であり、図１０は、美容装置１Ａを垂直方向に切断したときの断面図である。
【００４３】
筐体５０Ａ内には、モータ１０３Ａが配置されており、モータ１０３Ａの回転軸７１には偏心軸７３が取り付けられている。偏心軸７３においては、回転軸７１から偏った位置にシャフト７２が取り付けられている。シャフト７２には、三つ又の形状で三つのアームを備えるラバーホルダ７４が取り付けられている。ラバーホルダ７４の三つのアームの先端部には、接触部１０Ａから下側に突出した被支持部１４が取り付けられている。
【００４４】
ボタン４１によりイオン導出がオンとなると、モータ１０３Ａもオンとなり、回転軸７１が回転する。回転軸７１が回転すると、回転軸７１の回転に伴って偏心軸７３とシャフト７２が回転軸７１を中心に回転し、シャフト７２の回転に伴ってラバーホルダ７４が回転する。ラバーホルダ７４には接触部１０Ａが有する被支持部１４が取り付けられているため、ラバーホルダ７４が回転すると、被支持部１４を介して接触部１０Ａが振動する。なお、美容装置１Ｂ、１Ｃにおいても、上述した変形例と同様の構成で接触部１０Ｂ、１０Ｃを振動させる構成としてもよい。
【００４５】
本発明においては、イオン導出を行うための電気信号は、パルス波とし、周波数を１０Ｈｚから１．５ｋＨｚまでの範囲内のいずれかの周波数とするのが好ましい。また、パルス波のデューティー比は、接触部１０（１０Ａ、１０Ｂ、１０Ｃ）の電気抵抗率が１００Ω・ｃｍ〜２００Ω・ｃｍの範囲内である場合、５０％〜８０％であるのが好ましい。
【００４６】
本発明においては、接触部１０Ａ、１０Ｂ、１０Ｃの周囲に、肌に光を照射する光源を配置してもよい。光源としては、例えばＬＥＤを用いる。このＬＥＤは、例えばピーク波長が４６５ｎｍである青色光を出力するＬＥＤであってもよい。この青色光は、ヘモグロビンによく吸収されるので、赤ら顔や赤アザに効果的である。色彩の作用としては、リンパドレナージュ作用や血液循環作用を増大させる。さらに、ストレスや緊張を緩和する効果等も得ることができる。
【００４７】
また、光源のＬＥＤは、例えばピーク波長が５２２ｎｍである緑色光を出力するＬＥＤであってもよい。この緑色光は、前述の青色光よりも、皮膚浸透度が高いので、真皮深部のヘモグロビンに吸収され、真皮深部の赤アザに効果的である。色彩の作用としては、乾燥肌の改善や、皮脂や色素沈着によるシミの除去に適している。また、心身のリラックス効果等も得ることができる。
【００４８】
また、光源のＬＥＤは、例えばピーク波長が５９２ｎｍである黄色光を出力するＬＥＤであってもよい。この黄色光は、赤色光や橙色光に比べると、皮膚浸透度が高いため、皮膚表面のシミに効果的である。また、色彩の作用として、老化肌やトラブル肌の改善にも適している。
【００４９】
また、光源のＬＥＤは、例えばピーク波長が６０９ｎｍである橙色光を出力するＬＥＤであってもよい。この橙色光は、メラニン・ヘモグロビンに吸収され、茶色いシミに効果的である。また、色彩の作用としては、オイリー肌又はニキビ肌の改善や、代謝機能の適正化を図る上で重要である。
【００５０】
また、光源のＬＥＤは、例えばピーク波長が６４１ｎｍである赤色光を出力するＬＥＤであってもよい。この赤色光は、皮膚浸透度が高く、皮膚深部のメラニンに反応し、皮膚の奥深くのシミに効果的である。また、赤色の色彩作用も相まって、赤みがかっている肌の改善に適しており、血行の促進効果等を得ることができる。また、いわゆるスリミングケアにも適している。
【００５１】
また、光源のＬＥＤは、例えばピーク波長が８７０ｎｍおよび９４０ｎｍである赤外光を出力するＬＥＤであってもよい。この赤外光は、真皮深部の水分、メラニン、ヘモグロビンに反応するため、コラーゲンの増加に有効である。詳細には、線維芽細胞の活性化作用があり、新しいコラーゲンを効果的に作り出すことができる。なお、光源は、２以上のＬＥＤを有する構成で複数の光を出力する構成であってもよい。
【符号の説明】
【００５２】
１、１Ａ、１Ｂ、１Ｃ、１Ｄ…美容装置、１０、１０Ａ、１０Ｂ、１０Ｃ、１０Ｄ…接触部、１１…突起、１２…領域、１３…凸部、２０…シェーバー部、２０Ａ…外刃、３０…表示部、４０、４１…ボタン、５０Ａ…筐体、６０…ヒータ、６１…導電部、７１…回転軸、７２…シャフト、７３…偏心軸、７４…、ラバーホルダ、１０１…制御部、１０２…出力部、１０３、１０３Ａ…モータ、５０１…第１筐体、５０２…第２筐体
【図１】
2020021736.tif 000003
【図２】
2020021736.tif 000004
【図３】
2020021736.tif 000005
【図４】
2020021736.tif 000006
【図５】
2020021736.tif 000007
【図６】
2020021736.tif 000008
【図７】
2020021736.tif 000009
【図８】
2020021736.tif 000010
【図９】
2020021736.tif 000011
【図１０】
2020021736.tif 000012
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
導電性を有する合成樹脂で形成され、円柱形状で柔軟性を有する複数の突起を有する接触部と、電極と、イオン導出を行う電気信号を前記電極、前記突起が接触した人体および前記接触部を含む閉回路に出力する出力部とを備える美容装置。
【請求項２】
前記接触部は、人体に接触する側から見て先細りの部分を有する請求項１に記載の美容装置。
【請求項３】
前記複数の突起の長さは、前記先細りの先端に向かうにつれて長くなる請求項２に記載の美容装置。
【請求項４】
前記複数の突起の先端を結ぶ仮想面が凹んだ形状である請求項１から請求項３のいずれか一項に記載の美容装置。
【請求項５】
前記複数の突起として、肌に接する部分が第１の広さの突起と、肌に接する部分が前記第１の広さより広い第２の突起を備える
請求項１から請求項４のいずれか一項に記載の美容装置。
【請求項６】
（削除）
【請求項７】
前記接触部は、前記複数の突起に加えて、表面が波形の部分を有する請求項１に記載の美容装置。
【請求項８】
前記突起を振動させる振動部を備える請求項１に記載の美容装置。
【請求項９】
前記出力部は、使用者の操作に応じて、前記電極と前記突起の一方を正極とし、他方を負極とする請求項１に記載の美容装置。
【国際調査報告】
2020021736.tif 000013
2020021736.tif 000014